(57)【要約】【課題】携帯端末装置に搭載されている機能についての説明を出力することができるようにする。【解決手段】携帯端末装置が搭載する機能の説明を含むテキストデータである説明情報を取得する説明情報取得手段と、説明情報取得手段が取得した説明情報を、携帯端末装置が搭載する機能に対応付けて説明情報記憶手段に記憶させる説明情報登録手段と、携帯端末装置が搭載する機能の説明要求に応じて、説明を要求された機能に対応する説明情報を説明情報記憶手段から抽出する説明情報抽出手段と、説明情報抽出手段が抽出した説明情報を出力する説明情報出力手段とを備える。【選択図】図３
2009038494.tif 000002
【特許請求の範囲】
【請求項１】
携帯端末装置が搭載する機能の説明を含むテキストデータである説明情報を取得する説明情報取得手段と、
前記説明情報取得手段が取得した説明情報を、前記携帯端末装置が搭載する機能に対応付けて説明情報記憶手段に記憶させる説明情報登録手段と、
前記携帯端末装置が搭載する機能の説明要求に応じて、説明を要求された機能に対応する説明情報を前記説明情報記憶手段から抽出する説明情報抽出手段と、
前記説明情報抽出手段が抽出した説明情報を出力する説明情報出力手段と
を備えたことを特徴とする携帯端末装置。
【請求項２】
説明情報抽出手段は、説明情報記憶手段から抽出した説明情報を音声認識して音声に変換する音声変換手段を含み、
説明情報出力手段は、前記説明情報抽出手段が音声に変換した説明情報を音声出力する音声出力手段を含む
請求項１記載の携帯端末装置。
【請求項３】
音声変換手段は、テキスト読み上げシステムを用いて、説明情報記憶手段から抽出した説明情報を音声認識して音声に変換する請求項２記載の携帯端末装置。
【請求項４】
説明情報出力手段は、説明情報抽出手段が抽出した説明情報を吹き出し形式で表示する表示出力手段を含む請求項１から請求項３のうちのいずれか１項に記載の携帯端末装置。
【請求項５】
説明情報取得手段は、ユーザの入力操作に従って説明情報を生成し、
説明情報登録手段は、前記説明情報取得手段が生成した説明情報を、携帯端末装置が搭載する機能に対応付けて説明情報記憶手段に記憶させる
請求項１から請求項４のうちのいずれか１項に記載の携帯端末装置。
【請求項６】
携帯端末装置が搭載する機能の説明を含むテキストデータである説明情報を取得する説明情報取得ステップと、
前記説明情報取得ステップで取得した説明情報を、前記携帯端末装置が搭載する機能に対応付けて説明情報記憶手段に記憶させる説明情報登録ステップと、
前記携帯端末装置が搭載する機能の説明要求に応じて、説明を要求された機能に対応する説明情報を前記説明情報記憶手段から抽出する説明情報抽出ステップと、
前記説明情報抽出ステップで抽出した説明情報を出力する説明情報出力ステップと
を含むことを特徴とする携帯端末装置の機能説明方法。
【請求項７】
説明情報抽出ステップで、説明情報記憶手段から抽出した説明情報を音声認識して音声に変換し、
説明情報出力ステップで、前記説明情報抽出ステップで音声に変換した説明情報を音声出力する
請求項６記載の携帯端末装置の機能説明方法。
【請求項８】
コンピュータに、
携帯端末装置が搭載する機能の説明を含むテキストデータである説明情報を取得する説明情報取得処理と、
前記説明情報取得処理で取得した説明情報を、前記携帯端末装置が搭載する機能に対応付けて説明情報記憶手段に記憶させる説明情報登録処理と、
前記携帯端末装置が搭載する機能の説明要求に応じて、説明を要求された機能に対応する説明情報を前記説明情報記憶手段から抽出する説明情報抽出処理と、
前記説明情報抽出処理で抽出した説明情報を出力する説明情報出力処理と
を実行させるための携帯端末装置の機能説明プログラム。
【請求項９】
コンピュータに、
説明情報抽出処理で、説明情報記憶手段から抽出した説明情報を音声認識して音声に変換する処理を実行させ、
説明情報出力処理で、前記説明情報抽出処理で音声に変換した説明情報を音声出力する処理を実行させるための
請求項８記載の携帯端末装置の機能説明プログラム。
【発明の詳細な説明】
【技術分野】
【０００１】
本発明は、多くの機能を搭載している携帯端末装置、携帯端末装置の機能説明方法および携帯端末装置の機能説明プログラムに関する。
【背景技術】
【０００２】
携帯電話機等の携帯端末装置の多機能化・高機能化が進んでいる。そのため携帯端末装置が搭載する機能や記憶データについての説明をユーザに提示できるようにすることが望まれる。例えば、特許文献１には、デジタルカメラ付携帯電話等で代表される撮影再生機能付携帯通信端末において、画像に撮影環境や撮影データ等の情報を関連付けて保存することができ、これらの情報を音声として出力することができることが記載されている。
【０００３】
【特許文献１】特開２００５−２０４１２９号公報
【発明の開示】
【発明が解決しようとする課題】
【０００４】
出願人は、特許文献１に記載された方式によって、画像の再生に合わせ、各画像に関連する撮影環境や撮影データ等の情報が音声出力によってユーザに提供することを可能としている。また、撮影環境や撮影データ等についての説明をテキストデータとして記憶することによって、ユーザが説明を作成・変更することをある程度容易にしている。しかし、さらに複雑化する携帯端末装置の機能についての説明も、ユーザに提示できるようにすることが望まれる。
【０００５】
そこで、本発明は、携帯端末装置に搭載されている機能についての説明を出力することができる携帯端末装置、携帯端末装置の機能説明方法および携帯端末装置の機能説明プログラムを提供することを目的とする。
【課題を解決するための手段】
【０００６】
本発明による携帯端末装置は、携帯端末装置が搭載する機能の説明を含むテキストデータである説明情報を取得する説明情報取得手段と、説明情報取得手段が取得した説明情報を、携帯端末装置が搭載する機能に対応付けて説明情報記憶手段に記憶させる説明情報登録手段と、携帯端末装置が搭載する機能の説明要求に応じて、説明を要求された機能に対応する説明情報を説明情報記憶手段から抽出する説明情報抽出手段と、説明情報抽出手段が抽出した説明情報を出力する説明情報出力手段とを備えたことを特徴とする。
【０００７】
本発明による携帯端末装置の機能説明方法は、携帯端末装置が搭載する機能の説明を含むテキストデータである説明情報を取得する説明情報取得ステップと、説明情報取得ステップで取得した説明情報を、携帯端末装置が搭載する機能に対応付けて説明情報記憶手段に記憶させる説明情報登録ステップと、携帯端末装置が搭載する機能の説明要求に応じて、説明を要求された機能に対応する説明情報を説明情報記憶手段から抽出する説明情報抽出ステップと、説明情報抽出ステップで抽出した説明情報を出力する説明情報出力ステップとを含むことを特徴とする。
【０００８】
本発明による携帯端末装置の機能説明プログラムは、コンピュータに、携帯端末装置が搭載する機能の説明を含むテキストデータである説明情報を取得する説明情報取得処理と、説明情報取得処理で取得した説明情報を、携帯端末装置が搭載する機能に対応付けて説明情報記憶手段に記憶させる説明情報登録処理と、携帯端末装置が搭載する機能の説明要求に応じて、説明を要求された機能に対応する説明情報を説明情報記憶手段から抽出する説明情報抽出処理と、説明情報抽出処理で抽出した説明情報を出力する説明情報出力処理とを実行させることを特徴とする。
【発明の効果】
【０００９】
本発明によれば、携帯端末装置が搭載する機能の説明を出力することができる。
【発明を実施するための最良の形態】
【００１０】
以下、本発明の実施形態を図面を参照して説明する。図１は、本発明による携帯端末装置の構成の一例を示すブロック図である。図１に示す携帯端末装置１００は、アンテナ１０１と、無線部１０２と、制御部１０３と、表示装置部１０４と、音声処理部１０５と、記憶装置部１０６と、キー操作部１０７と、スピーカ１０８と、マイクロフォン１０９と、外部メモリ１１０と、カメラ１１１と、カメラ処理部１１２とを備えている。携帯端末装置１００は、例えば携帯電話機であるが、ＰＨＳ端末やＰＤＡなど携帯電話機以外の携帯端末装置であってもよい。
【００１１】
無線部１０２は、アンテナ１０１を介して、基地局（図示せず。）と無線通信を行う。
【００１２】
制御部１０３は、プログラムに従って動作し、携帯端末装置１００の各部を制御するＣＰＵ（図示せず。）を備える。制御部１０３は、所定の操作に応じて、待受画面や、機能一覧が表示された画面からユーザに機能を選択させるための機能メニューを表示装置部１０４に表示させる。
【００１３】
また、制御部１０３は、所定の操作に応じて登録画面を表示させる。登録画面は、ユーザにキー操作部１０７を操作して説明を入力させるための画面である。なお、制御部１０３は、ユーザが機能メニューの機能一覧画面からサブメニューを開いて「編集」を選択した場合に、登録画面を表示させてもよい。
【００１４】
図２は、登録画面の一例を示す説明図である。なお、図２には、説明とともに、機能名を入力させる場合を例示する。制御部１０３は、機能の説明を含むテキストデータである説明情報を取得し、例えば機能名が示す機能に対応付けて、記憶装置部１０６に記憶させる。
【００１５】
表示装置部１０４は、例えば液晶表示装置や有機ＥＬディスプレイ装置等のディスプレイ装置によって実現され、各種の情報を表示する。
【００１６】
音声処理部１０５は、音声信号処理を実行する機能を有し、スピーカ１０８とマイクロフォン１０９とに接続される。マイクロフォン１０９は、音声入力装置であり、スピーカ１０８は、音声出力装置である。音声処理部１０５は、制御部１０３から音声データを入力し、入力した音声データに対してＤ／Ａ変換等の処理を施し、スピーカ１０８を介して音声を出力する。
【００１７】
記憶装置部１０６は、例えば、ＲＯＭおよびＲＡＭで実現される。記憶装置部１０６には、例えば、待受画面や機能メニューを実現するためのプログラムや、各種機能等を実行するためのアプリケーションなどが予め記憶されている。また、記憶装置部１０６は、制御部１０３が取得した説明情報を、携帯端末装置１００が搭載する機能やデータに対応付けて記憶する。
【００１８】
キー操作部１０７は、情報を入力するためのテンキー、スクロールキーおよび決定キーなどの複数のキーを有し、情報を制御部１０３に出力する。
【００１９】
外部メモリ１１０は、例えば、ｍｉｃｒｏＳＤカード等の不揮発性メモリで実現される。外部メモリ１１０は、例えば、各種の設定情報等を記憶する。
【００２０】
カメラ１１１は、ＣＣＤ等の撮像素子を含み、被写体を撮像する。カメラ処理部１１２は、カメラ１１１から出力された信号をディジタルデータに変換する処理などの各種の処理を実行する。
【００２１】
図３は、本発明による携帯端末装置の機能構成の一例を示す機能ブロック図である。図３に例示する携帯端末装置１００は、説明情報取得手段１０と、説明情報登録手段２０と、説明情報記憶手段３０と、説明情報抽出手段４０と、説明情報出力手段５０とを備える。
【００２２】
説明情報取得手段１０は、説明情報を取得する。説明情報取得手段１０は、例えば、ユーザの入力操作に従って、携帯端末装置１００が搭載する機能や携帯端末装置１００が記憶するデータの説明を含むテキストデータである説明情報を生成する。また、説明情報取得手段１０は、例えば、他の携帯端末装置等の外部装置から説明情報を受信してもよい。説明情報取得手段１０は、図１に示す制御部１０３で実現される。
【００２３】
また、説明情報取得手段１０は、外部メモリ１１０が接続された場合にその外部メモリ１１０から説明情報を入力してもよい。また、説明情報取得手段１０は、既に説明情報記憶手段３０に記憶されている説明情報を抽出し、ユーザの操作に従って更新してもよい。
【００２４】
説明情報登録手段２０は、説明情報取得手段１０が取得した説明情報を、機能やデータに対応付けて説明情報記憶手段３０に記憶させる。説明情報登録手段２０は、図１に示す制御部１０３で実現される。説明情報記憶手段３０は、図１に示す記憶装置部１０６で実現される。
【００２５】
説明情報抽出手段４０は、例えばユーザからの機能やデータの説明要求に応じて、説明を要求された機能に対応する説明情報を説明情報記憶手段３０から抽出する。例えば、説明情報抽出手段４０は、ユーザが機能メニューにおいて選択した機能に対応する説明情報を抽出する。説明情報抽出手段４０は、図１に示す制御部１０３および音声処理部１０５で実現される。
【００２６】
説明情報抽出手段４０は、音声変換手段４１を有する。音声変換手段４１は、例えばテキスト読み上げ（TextToSpeech）システムを用いて、抽出した説明情報を音声認識して音声に変換する。
【００２７】
説明情報出力手段５０は、説明情報抽出手段４０の指示に従って、説明情報抽出手段４０が抽出した説明情報を出力する。説明情報出力手段５０は、音声出力手段５１と、画面出力手段５２とを有する。
【００２８】
音声出力手段５１は、説明情報抽出手段４０の指示に従って、音声変換手段４１が音声に変換した説明情報を音声出力する。音声出力手段５１は、図１に示すスピーカ１０８で実現される。
【００２９】
画面出力手段５２は、説明情報抽出手段４０の指示に従って、説明情報抽出手段４０が抽出した説明情報を、例えば、吹き出し形式で表示する。画面出力手段５２は、図１に示す表示装置部１０４で実現される。
【００３０】
次に、図面を参照して本実施形態の動作について説明する。まず、説明情報を登録する処理について説明する。図４は、説明情報を登録する処理を示すフローチャートである。
【００３１】
携帯端末装置１００は、待受画面を表示している場合（ステップＳ１）、例えばユーザの操作に応じて、機能メニューを表示する（ステップＳ２）。例えば、機能メニューにおいて「編集」が選択された場合に、携帯端末装置１００は、登録画面を表示する（ステップＳ１１）。
【００３２】
登録画面において、ユーザによって説明情報が入力され、例えば「登録」が選択された場合、説明情報取得手段１０は、ユーザの入力操作に従ってテキストデータとして説明情報を生成する。そして、説明情報登録手段２０は、説明情報取得手段１０が取得した説明情報を、機能やデータに対応付けて説明情報記憶手段３０に記憶させる（ステップＳ１２）。
【００３３】
なお、説明情報記憶手段３０に、既に機能に対応付けられた説明情報が記憶されている場合には、既に記憶されている説明情報を変更可能であることが望ましい。
【００３４】
次に、説明情報を出力する処理について説明する。図５は、説明情報を出力する処理を示すフローチャートである。
【００３５】
携帯端末装置１００は、待受画面を表示している場合（ステップＳ１）、例えばユーザの操作に応じて、機能メニューを表示する（ステップＳ２）。
【００３６】
例えば、機能メニューにおいて、ユーザが機能やデータを選択すると、説明情報抽出手段４０は、ユーザが選択した機能やデータに対応する説明情報を説明情報記憶手段３０から抽出する。そして、音声変換手段４１は、説明情報抽出手段４０が抽出した説明情報を音声認識して音声に変換する。そして、音声出力手段５１は、説明情報抽出手段４０の指示に従って、音声変換手段４１が音声に変換した説明情報を音声出力する。また、画面出力手段５２は、説明情報抽出手段４０の指示に従って、説明情報抽出手段４０が抽出した説明情報を、例えば、吹き出し形式で表示する（ステップＳ２１）。
【００３７】
以上に説明したように、本実施形態によれば、携帯端末装置が搭載する機能やデータに対応づけられたテキストデータである説明情報を出力する。携帯端末装置１００が記憶するデータの説明だけでなく、携帯端末装置１００が搭載する機能の説明についても出力し、ユーザに提示することができる。よって、携帯端末装置が搭載する機能についての説明をわかりやすく出力することができる。また、説明情報をテキストデータとして記憶するため、ユーザが容易に作成・変更することが可能であって、記憶容量が少なくて済むという効果がある。
【００３８】
また、ユーザ独自の説明を出力することができることから、機能説明が容易になる。例えば、機能を理解していないユーザであっても、例えば、説明情報を外部メモリから入力したり、外部装置から受信したりすることにより、機能を理解しているユーザの登録内容やマニュアル等を参照して説明を追加することにより、仕様の理解を深めることができる。
【００３９】
なお、上記に示した実施形態では、以下の（１）〜（５）に示すような特徴的構成を備えた携帯端末装置が示されている。
【００４０】
（１）携帯端末装置が搭載する機能の説明を含むテキストデータである説明情報を取得する説明情報取得手段（例えば、説明情報取得手段１０によって実現される）と、説明情報取得手段が取得した説明情報を、携帯端末装置が搭載する機能に対応付けて説明情報記憶手段（例えば、説明情報記憶手段３０によって実現される）に記憶させる説明情報登録手段（例えば、説明情報登録手段２０によって実現される）と、携帯端末装置が搭載する機能の説明要求に応じて、説明を要求された機能に対応する説明情報を説明情報記憶手段から抽出する説明情報抽出手段（例えば、説明情報抽出手段４０によって実現される）と、説明情報抽出手段が抽出した説明情報を出力する説明情報出力手段（例えば、説明情報出力手段５０によって実現される）とを備えたことを特徴とする携帯端末装置。
【００４１】
（２）説明情報抽出手段は、説明情報記憶手段から抽出した説明情報を音声認識して音声に変換する音声変換手段を含み、説明情報出力手段は、説明情報抽出手段が音声に変換した説明情報を音声出力する音声出力手段を含む携帯端末装置。そのように構成された携帯端末装置は、機能の説明を音声で出力することから、多様な機能をよりわかりやすくすることができる。
【００４２】
（３）音声変換手段は、テキスト読み上げシステムを用いて、説明情報記憶手段から抽出した説明情報を音声認識して音声に変換する携帯端末装置。
【００４３】
（４）説明情報出力手段は、説明情報抽出手段が抽出した説明情報を吹き出し形式で表示する表示出力手段を含む携帯端末装置。そのように構成された携帯端末装置は、機能の説明を吹き出し形式で表示することから、多様な機能をよりわかりやすくすることができる。
【００４４】
（５）説明情報取得手段は、ユーザの入力操作に従って説明情報を生成し、説明情報登録手段は、説明情報取得手段が生成した説明情報を、携帯端末装置が搭載する機能に対応付けて説明情報記憶手段に記憶させる携帯端末装置。そのように構成された携帯端末装置は、ユーザが希望する説明を出力することができるので、それぞれのユーザが機能を使いやすいようにすることができる。
【産業上の利用可能性】
【００４５】
本発明は、多くの機能を搭載している携帯端末装置に効果的に適用できる。
【図面の簡単な説明】
【００４６】
【図１】本発明による携帯端末装置の構成の一例を示すブロック図である。
【図２】登録画面の一例を示す説明図である。
【図３】本発明による携帯端末装置の機能構成の一例を示す機能ブロック図である。
【図４】説明情報を登録する処理を示すフローチャートである。
【図５】説明情報を出力する処理を示すフローチャートである。
【符号の説明】
【００４７】
１００  携帯端末装置
１０１  アンテナ
１０２  無線部
１０３  制御部
１０４  表示装置部
１０５  音声処理部
１０６  記憶装置部
１０７  キー操作部
１０８  スピーカ
１０９  マイクロフォン
１１０  外部メモリ
１１１  カメラ
１１２  カメラ処理部
【図１】
2009038494.tif 000003
【図２】
2009038494.tif 000004
【図３】
2009038494.tif 000005
【図４】
2009038494.tif 000006
【図５】
2009038494.tif 000007